(57)【要約】      （修正有）【課題】ケース体の内部の有効容積が減少することを抑制できる鍵収容具を提供する。【解決手段】鍵収容具１は、鍵１０を出し入れするための開口部２１を有して内部に鍵１０を収容するケース体２と、開口部２１を開閉可能となるように、ケース体２に枢着される蓋体３と、蓋体３が開口部２１を閉塞する状態でケース体２に固定されるべく、ケース体２と蓋体３とを接続する接続状態と、開口部２１を開閉可能にすべく、ケース体２と蓋体３との当該接続を解除する解除状態とに切り替え可能な接続体４と、を備える。蓋体３は、鍵１０を取り付けるための環状部材６が挿通されるための長尺な挿通部を備え、挿通部は、蓋体３の内面部に沿って配置される。【選択図】図２
0003192743.tif 000002
【実用新案登録請求の範囲】
【請求項１】
鍵を出し入れするための開口部を有し、内部に鍵を収容するケース体と、
前記開口部を開閉可能となるように、前記ケース体に枢着される蓋体と、
前記蓋体が前記開口部を閉塞する状態で前記ケース体に固定されるべく、前記ケース体と前記蓋体とを接続する接続状態と、前記開口部を開閉可能にすべく、前記ケース体と前記蓋体との当該接続を解除する解除状態とに切り替え可能な接続体と、を備える鍵収容具において、
前記蓋体は、鍵を取り付けるための環状部材が挿通されるための長尺な挿通部を備え、
前記挿通部は、前記蓋体の内面部に沿って配置されることを特徴とする鍵収容具。
【請求項２】
前記蓋体は、内面部に配置される凹状部をさらに備え、
前記挿通部は、前記凹状部を渡るように配置される請求項１に記載の鍵収容具。
【請求項３】
前記蓋体は、前記挿通部を有する挿通体と、前記凹状部を内面部に有する蓋本体部と、前記挿通体を前記蓋本体部に固定する固定具と、を備える請求項１又は２に記載の鍵収容具。
【請求項４】
前記固定具は、雄ネジ部と、前記雄ネジ部よりも大径である大径部と、を備え、
前記蓋本体部は、前記雄ネジ部と螺合する雌ネジ部を備え、
前記挿通体は、前記雄ネジ部が挿通される挿通孔部を備え、
前記挿通孔部は、前記大径部と前記蓋本体部とに挟圧されることにより、前記蓋本体部に固定される請求項３に記載の鍵収容具。
【請求項５】
前記挿通部に挿通される環状部材と、基端部が前記環状部材に連結され且つ先端部が鍵に連結されるための紐状体と、をさらに備える請求項１〜４の何れか１項に記載の鍵収容具。
【考案の詳細な説明】
【技術分野】
【０００１】
本考案は、内部に鍵を収容するための鍵収容具に関する。
【背景技術】
【０００２】
従来、鍵収容具として、内部に鍵を収容するケース体と、ケース体に枢着される蓋体と、ケース体と蓋体とを接続する接続状態と当該接続を解除する解除状態とに切り替え可能な接続体とを備える鍵収容具が、知られている（例えば、特許文献１）。斯かる構成によれば、接続体が接続状態においては、蓋体が開口部を閉塞する状態でケース体に固定され、接続体が解除状態においては、蓋体がケース体に対して接離することにより、開口部が開閉される。
【０００３】
ところで、特許文献１に係る鍵収容具においては、鍵は、鍵保持部材に設けられる貫通孔に挿通された環状部材に、取り付けられている。そして、斯かる鍵保持部材は、蓋体の内面部から直交する方向に突出して設けられているため、ケース体の内部の有効容積が、鍵保持部材の存在により減少している。特に、鍵保持部材を使用することなく、鍵がケース本体に直接に収容される際においては、ケース体の内部の有効容積が、不必要な鍵保持部材の存在により減少していることになる。
【先行技術文献】
【特許文献】
【０００４】
【特許文献１】実用新案登録第３１５０７８４号公報
【考案の概要】
【考案が解決しようとする課題】
【０００５】
よって、本考案は、斯かる事情に鑑み、ケース体の内部の有効容積が減少することを抑制できる鍵収容具を提供することを課題とする。
【課題を解決するための手段】
【０００６】
本考案に係る鍵収容具は、鍵を出し入れするための開口部を有し、内部に鍵を収容するケース体と、前記開口部を開閉可能となるように、前記ケース体に枢着される蓋体と、前記蓋体が前記開口部を閉塞する状態で前記ケース体に固定されるべく、前記ケース体と前記蓋体とを接続する接続状態と、前記開口部を開閉可能にすべく、前記ケース体と前記蓋体との当該接続を解除する解除状態とに切り替え可能な接続体と、を備える鍵収容具において、前記蓋体は、鍵を取り付けるための環状部材が挿通されるための長尺な挿通部を備え、前記挿通部は、前記蓋体の内面部に沿って配置されることを特徴とする。
【０００７】
本考案に係る鍵収容具によれば、長尺な挿通部は、蓋体の内面部に沿って配置されている。これにより、鍵をケース本体に直接に収容する際においては、ケース体の内部の有効容積が不必要な挿通部の存在により減少することを抑制している。もちろん、環状部材が挿通部に挿通された際においても、ケース体の内部の有効容積が挿通部の存在により減少することを抑制している。
【０００８】
また、本考案に係る鍵収容具においては、前記蓋体は、内面部に配置される凹状部をさらに備え、前記挿通部は、前記凹状部を渡るように配置される、という構成でもよい。
【０００９】
斯かる構成によれば、凹状部は、蓋体の内面部に配置されており、挿通部は、凹状部を渡るように配置されている。これにより、鍵を取り付けるための環状部材が挿通部に挿通された際には、環状部材の一部は、凹状部の内部に配置されることになる。したがって、ケース体の内部の有効容積が環状部材の存在により減少することを抑制している。
【００１０】
また、本考案に係る鍵収容具においては、前記蓋体は、前記挿通部を有する挿通体と、前記凹状部を内面部に有する蓋本体部と、前記挿通体を前記蓋本体部に固定する固定具と、を備える、という構成でもよい。
【００１１】
また、本考案に係る鍵収容具においては、前記固定具は、雄ネジ部と、前記雄ネジ部よりも大径である大径部とを備え、前記蓋本体部は、前記雄ネジ部と螺合する雌ネジ部を備え、前記挿通体は、前記雄ネジ部が挿通される挿通孔部を備え、前記挿通孔部は、前記大径部と前記蓋本体部とに挟圧されることにより、前記蓋本体部に固定される、という構成でもよい。
【００１２】
また、本考案に係る鍵収容具は、前記挿通部に挿通される環状部材と、基端部が前記環状部材に連結され且つ先端部が鍵に連結されるための紐状体と、をさらに備える、という構成でもよい。
【考案の効果】
【００１３】
以上の如く、本考案に係る鍵収容具によれば、ケース体の内部の有効容積が減少することを抑制できるという優れた効果を奏する。
【図面の簡単な説明】
【００１４】
【図１】図１は、本考案の一実施形態に係る鍵収容具の閉塞状態における全体正面図である。
【図２】図２は、同実施形態に係る鍵収容具の開放状態における全体斜視図である。
【図３】図３は、同実施形態に係る鍵収容具の図２における要部拡大図である。
【図４】図４は、同実施形態に係る鍵収容具の要部分解斜視図である。
【図５】図５は、本考案の他の実施形態に係る鍵収容具の要部拡大図である。
【考案を実施するための形態】
【００１５】
以下、本考案に係る鍵収容具における一実施形態について、図１〜図４を参酌して説明する。なお、各図において、図面の寸法比と実際の寸法比とは、必ずしも一致していない。
【００１６】
図１及び図２に示すように、本実施形態に係る鍵収容具１は、内部に鍵１０を収容するケース体２と、ケース体２に枢着される蓋体３とを備えている。また、鍵収容具１は、ケース体２と蓋体３とを接続する接続体４と、接続体４を、ケース体２及び蓋体３を接続する接続状態と当該接続を解除する解除状態とに切り替え可能な切替部５とを備えている。
【００１７】
そして、鍵収容具１は、蓋体３に接続される環状部材６と、基端部が環状部材６に連結され且つ先端部が鍵１０に連結される紐状体７とを備えている。斯かる紐状体７は、伸縮性や弾性を有していてもよい。また、環状部材６と紐状体７とは、別部材から構成されていてもよく、一体成形された部材から構成されていてもよい。なお、本発明においては、環状部材６と紐状体７とは、必須の構成ではなく、鍵１０は、ケース体２の内部に直接に収容されていてもよく、環状部材６に連結されていてもよい。
【００１８】
ケース体２は、鍵１０を出し入れするための開口部２１を備えている。そして、ケース体２の他端部と蓋体３の他端部とが枢着されているため、ケース体２の一端部と蓋体３の一端部とが接離することで、蓋体３は、開口部２１を開閉できる。なお、蓋体３は、ケース本体２に対して、ケース体２が開口部２１を閉塞した状態（閉塞位置）から９０度まで回転することができる。また、蓋体３は、閉塞位置でケース体２を保持するために、閉塞保持部３１を備えている。
【００１９】
接続体４は、先端部に、ケース体２に挿入される挿入部４１を備え、ケース体２は、挿入部４１が挿入される孔部２２を備えている。そして、接続体４の挿入部４１がケース体２の孔部２２に挿入されることにより、接続体４が、ケース体２と蓋体３とを接続する接続位置に位置する。これにより、ケース体２は、閉塞位置で固定される。
【００２０】
また、接続体４は、蓋体３の内部に配置されている支軸部４２と、蓋体３の外部に配置され、例えばドアノブ等に取り付けられる取付部４３とを備えている。本実施形態においては、取付部４３は、Ｕ字状に形成されており、接続体４が接続位置に位置する際に、ケース体２及び蓋体３と協働して環状となるように形成されている。
【００２１】
切替部５は、本実施形態においては、４桁のダイヤル錠としている。斯かる切替部５は、設定番号（所定の４桁の暗証番号）以外に合わせられている場合には、支軸部４２を係止し、設定番号に合わせられている場合には、支軸部４２の係止を解除する。
【００２２】
そして、接続体４が接続位置に位置する際に、切替部５が支軸部４２を係止することにより、接続体４は、蓋体３に対して変位できないため、ケース体２と蓋体３との接続を維持する。これにより、蓋体３は、開口部２１を閉塞する閉塞位置でケース体２に固定される。即ち、鍵収容具１は、施錠された状態となる。
【００２３】
反対に、切替部５が支軸部４２の係止を解除することにより、接続体４は、蓋体３に対して変位できるようになる。具体的には、接続体４は、蓋体３に対して、支軸部４２の軸方向に移動することができる。これにより、接続体４は、接続位置から退避して接続解除位置に位置できる。即ち、接続体４の挿入部４１は、ケース体２の孔部２２から抜け出すことができる。
【００２４】
そして、接続体４が接続解除位置に位置する場合には、蓋体３は、ケース本体２に対して接離することで、開口部２１を開閉することができる。即ち、鍵収容具１は、解錠された状態となる。なお、接続解除位置に位置する接続体４は、支軸部４２を軸として、蓋体３に対して回転することもできる。
【００２５】
また、接続体４の挿入部４１は、切欠部４４を備え、ケース体２は、接続体４を接続位置で保持すべく、切欠部４４を掛止して保持する接続保持部（図示していない）と、接続保持部と連動する操作部２３とを備えている。これにより、切替部５が支軸部４２の係止を解除し、さらに、操作部２３を操作して、接続保持部が切欠部４４の保持を解除することで、接続体４は、接続位置から接続解除位置に移動できる。
【００２６】
蓋体３は、支軸部４２を内部に配置する蓋本体部３２と、環状部材６が挿通される挿通体３３と、挿通体３３を蓋本体部３２の内面部に固定する固定具３４，３４とを備えている。また、蓋体３は、蓋本体部３２の内面部の一部を覆うカバー体３５を備えており、斯かるカバー体３５は、蓋本体部３２に対して着脱可能である。
【００２７】
図３及び図４に示すように、挿通体３３は、環状部材６が挿通される長尺な挿通部３３ａと、挿通部３３ａの各端部に連結され、固定具３４が挿通される挿通孔部３３ｂとを備えている。また、固定具３４は、挿通孔部３３ｂに挿通される雄ネジ部３４ａと、雄ネジ部３４ａよりも大径である大径部３４ｂとを備えており、蓋本体部３２は、固定具３４の雄ネジ部３４ａと螺合する雌ネジ部３２ａを備えている。
【００２８】
そして、固定具３４の雄ネジ部３４ａが蓋本体部３２の雌ネジ部３２ａと螺合することにより、挿通孔部３３ｂは、固定具３４の大径部３４ｂと蓋本体部３２の内面部とに挟圧される。これにより、挿通体３３は、蓋本体部３２に固定される。このように、挿通体３３は、蓋本体部３２に着脱可能に構成されている。
【００２９】
また、挿通体３３は、長尺な平板状に形成されており、しかも、長手方向が蓋本体部３２の内面部に沿うようにして配置されている。これにより、挿通体３３は、蓋本体部３２の内面部から厚み分しか突出していないため、ケース体２の内部の有効容積が挿通体３３の存在により減少することを抑制している。
【００３０】
さらに、蓋本体部３２は、内面部に配置される凹状部３２ｂを備えており、挿通部３３ａは、凹状部３２ｂを渡るように配置されている。これにより、環状部材６の一部は、凹状部３２ｂの内部に配置されているため、ケース体２の内部の有効容積が環状部材６の存在により減少することも抑制している。
【００３１】
なお、図４に示すように、蓋本体部３２は、カバー体３５が嵌入される凹状の嵌合部３２ｃを備えている。そして、蓋本体部３２は、嵌合部３２ｃの内部に配置される溝部３２ｄと、溝部３２ｄから突出し、切替部５の設定番号を変更可能な状態にする変更部３２ｅとを備えている。
【００３２】
斯かる変更部３２ｅが、溝部３２ｄの一方の端部（図４における実線の位置であって、左端部）に位置する際には、切替部５の設定番号を変更することができない。反対に、変更部３２ｅが、溝部３２ｄの他方の端部（図４における２点鎖線の位置であって、右端部）に位置する際には、切替部５の設定番号を変更することができる。
【００３３】
また、カバー体３５は、突出部（図示していない）を備えている。これにより、変更部３２ｅが溝部３２ｄの一方の端部（左端部）に位置する際には、カバー体３５は、嵌合部３２ｃに嵌入できる一方、変更部３２ｅが溝部３２ｄの他方の端部（右端部）に位置する際には、突出部が変更部３２ｅに当接することにより、カバー体３５は、嵌合部３２ｃに嵌入できない。
【００３４】
以上より、本実施形態に係る鍵収容具１によれば、長尺な挿通部３３ａは、長手方向が蓋体３の内面部に沿って配置されている。これにより、ケース体２の内部の有効容積が挿通部３３ａの存在により減少することを抑制できる。なお、環状部材６や紐状体７を使用することなく、鍵１０をケース本体２に直接に収容する際においては、ケース体２の内部の有効容積が不必要な挿通部３３ａの存在により減少することを抑制できる。
【００３５】
また、本実施形態に係る鍵収容具１によれば、凹状部３２ｂは、蓋体３の内面部に配置されており、挿通部３３ａは、凹状部３２ｂを渡るように配置されている。これにより、鍵１０を取り付けるための環状部材６が挿通部３３ａに挿通された際には、環状部材６の一部は、凹状部３２ｂの内部に配置されることになる。したがって、ケース体２の内部の有効容積が環状部材６の存在により減少することを抑制している。
【００３６】
また、本実施形態に係る鍵収容具１によれば、例えば、挿通体３３が蓋本体部３２から取り外された状態で、環状部材６が挿通部３３ａに挿通され、その後、挿通体３３が固定具３４により蓋本体部３２に取り付けられることにより、環状部材６が蓋体３に取り付けられる。これにより、環状部材６を蓋体３に取り付ける作業を容易にすることができる。
【００３７】
また、本実施形態に係る鍵収容具１によれば、固定具３４の雄ネジ部３４ａは、挿通体３３の挿通孔部３３ｂに挿通された状態で、蓋本体部３２の雌ネジ部３２ａと螺合する。そして、雄ネジ部３４ａよりも大径である大径部３４ｂと蓋本体部３２の内面部とが、挿通孔部３３ｂを挟圧する。
【００３８】
これにより、挿通孔部３３ｂが蓋本体部３２に固定されるため、挿通体３３が蓋本体部３２に固定される。したがって、例えば、環状部材６が挿通部３３ａに挿通された状態で、斯かる作業を行うことにより、環状部材６を蓋体３に取り付ける作業を容易にすることができる。
【００３９】
また、本実施形態に係る鍵収容具１によれば、紐状体７の基端部は、環状部材６に連結されており、紐状体７の先端部は、鍵１０に連結されている。これにより、例えば、鍵１０が紐状体７により蓋体３に接続された状態で、鍵１０を使用することができる。したがって、例えば、鍵１０を使用した後に、鍵１０をケース体２の内部に再び収容し忘れることを防止でき、しかも、鍵１０の操作性が低下することも抑制できる。
【００４０】
なお、本考案に係る鍵収容具は、上記した実施形態の構成に限定されるものではなく、また、上記した作用効果に限定されるものではない。本考案に係る鍵収容具は、本考案の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００４１】
上記実施形態に係る鍵収容具１においては、蓋本体部３２は、凹状部３２ｂを備えている、という構成である。しかしながら、本考案に係る鍵収容具は、斯かる構成に限られない。例えば、本考案に係る鍵収容具においては、図５に示すように、蓋本体部３２は、凹状部３２ｂを備えておらず、挿通部３３ａは、蓋本体部３２の内面部と離間して配置されると共に、内面部に沿って配置されている、という構成でもよい。
【００４２】
また、上記実施形態に係る鍵収容具１においては、挿通部３３ａを有する挿通体３３は、蓋本体部３２と別部材である、という構成である。しかしながら、本考案に係る鍵収容具は、斯かる構成に限られない。例えば、本考案に係る鍵収容具においては、挿通部３３ａは、蓋本体部３２と同じ部材である、例えば、一体成形されている、という構成でもよい。
【００４３】
また、上記実施形態に係る鍵収容具１においては、挿通体３３は、固定具３４により、蓋本体部３２に固定される、という構成である。しかしながら、本考案に係る鍵収容具は、斯かる構成に限られず、挿通体３３を蓋本体部３２に固定する構成は、例えば、溶接される構成でもよく、特に限定されない。
【符号の説明】
【００４４】
１…鍵収容具、２…ケース体、３…蓋体、４…接続体、５…切替部、６…環状部材、７…紐状体、１０…鍵、２１…開口部、２２…孔部、２３…操作部、３１…閉塞保持部、３２…蓋本体部、３２ａ…雌ネジ部、３２ｂ…凹状部、３２ｃ…嵌合部、３２ｄ…溝部、３２ｅ…変更部、３３…挿通体、３３ａ…挿通部、３３ｂ…挿通孔部、３４…固定具、３４ａ…雄ネジ部、３４ｂ…大径部、３５…カバー体、４１…挿入部、４２…支軸部、４３…取付部、４４…切欠部
【図１】
0003192743.tif 000003
【図２】
0003192743.tif 000004
【図３】
0003192743.tif 000005
【図４】
0003192743.tif 000006
【図５】
0003192743.tif 000007